(57)【要約】【課題】  セキュリティの向上した表示装置および表示方法を実現することができる。【解決手段】  表示装置は、通常モード、少なくとも一部の機能が制限された制限モード、および通常モードから制限モードに移行する前にとり得る半制限モードを設定可能であって、表示部と、ユーザによる入力を受け付ける受付部と、受付部によって所定の入力が受け付けられると半制限モードを設定し、当該半制限モードが設定された直後に表示部によって表示された画面が、所定条件を満たす画面以外の画面に遷移する場合、制限モードを設定する設定部とを備える。【選択図】図４
2015088837.tif 000002
【特許請求の範囲】
【請求項１】
通常モード、少なくとも一部の機能が制限された制限モード、および前記通常モードから前記制限モードに移行する前にとり得る半制限モードを設定可能な表示装置であって、
表示部と、
ユーザによる入力を受け付ける受付部と、
前記受付部によって所定の入力が受け付けられると前記半制限モードを設定し、当該半制限モードが設定された直後にユーザによる入力に基づいて前記表示部に表示された画面が、所定条件を満たす画面以外の画面に遷移する場合、前記制限モードを設定する設定部と
を備える表示装置。
【請求項２】
前記所定条件を満たす画面とは、前記半制限モードが設定された直後にユーザによる入力に基づいて前記表示部に表示されたアプリケーションの画面を含む当該アプリケーションの１以上の画面のうち一の画面である、請求項１に記載の表示装置。
【請求項３】
前記所定条件を満たす画面とは、前記半制限モードが設定された直後にユーザによる入力に基づいて前記表示部に表示された画面である、請求項１に記載の表示装置。
【請求項４】
前記制限モードが設定されると、前記表示部は、ユーザに認証情報の入力を促す認証画面を表示し、
前記認証情報の入力が受け付けられると、当該認証情報に基づいて認証を行う認証部を備え、
前記設定部は、前記認証部による認証が成功すると、前記通常モードを設定する請求項１乃至請求項３のいずれかに記載の表示装置。
【請求項５】
前記設定部は、前記半制限モードにおいて、前記所定条件を満たす画面以外の画面の表示を指示する入力が受け付けられると、前記制限モードを設定する請求項１乃至請求項４のいずれかに記載の表示装置。
【請求項６】
前記設定部は、前記半制限モードにおいて、ユーザによる入力に基づいて前記表示部に画面が表示された後、外部からの着信により前記表示部に着信画面が表示される場合に、前記制限モードを設定する請求項１乃至請求項５のいずれかに記載の表示装置。
【請求項７】
前記受付部は、前記表示部に対するユーザのタッチ操作を受け付けるタッチパネルを備え、
前記表示部は、待ち受け画面に半制限モードを設定するための設定ボタンを表示可能であり、
前記設定部は、前記タッチパネルによって前記設定ボタンをタッチする操作が受け付けられると、前記半制限モードを設定する請求項１乃至請求項６のいずれかに記載の表示装置。
【請求項８】
表示部と、ユーザによる入力を受け付ける受付部とを備える表示装置において、通常モード、少なくとも一部の機能が制限された制限モード、および前記通常モードから前記制限モードに移行する前にとり得る半制限モードを設定可能な表示方法であって、
前記受付部によって所定の入力を受け付ける受付ステップと
前記所定の入力を受け付けると前記半制限モードを設定する半制限モード設定ステップと、
前記半制限モードが設定された直後にユーザによる入力に基づいて前記表示部にある画面を表示させる表示ステップと、
前記ユーザによる入力に基づいて前記表示部に表示された画面が、所定条件を満たす画面以外の画面に遷移する場合に、前記制限モードを設定する制限モード設定ステップと
を含む表示方法。
【発明の詳細な説明】
【技術分野】
【０００１】
本発明は、例えば携帯電話機等の表示装置に関する。
【背景技術】
【０００２】
スマートフォンの機能増加に伴い、スマートフォンを第三者に手渡してその表示画面に表示されている情報を第三者に閲覧させる、又は特定のアプリケーションの実行のために第三者にスマートフォンを操作させる機会が増えている。例えば、親が子供に自分のスマートフォンを手渡して遊ばせる、会社の同僚に表示画面に表示されている地図を見せて場所を伝える、又は商談にてデモアプリを体験してもらうためにスマートフォンを操作させる等のケースが考えられる。
【先行技術文献】
【特許文献】
【０００３】
【特許文献１】特開２００５−１１７２８０号公報
【発明の概要】
【発明が解決しようとする課題】
【０００４】
しかしながら、スマートフォンを第三者に手渡してしまうと、そのスマートフォンに保存されている他のデータをその第三者に閲覧されてしまう、およびその第三者に勝手に別のアプリケーションを使用されてしまうなど、個人情報保護や課金等の観点から問題が発生する恐れがあった。よって、このような場合に、セキュリティを確保できることが望まれている。
【課題を解決するための手段】
【０００５】
本発明の一態様による表示装置は、通常モード、少なくとも一部の機能が制限された制限モード、および前記通常モードから前記制限モードに移行する前にとり得る半制限モードを設定可能であって、表示部と、ユーザによる入力を受け付ける受付部と、前記受付部によって所定の入力が受け付けられると前記半制限モードを設定し、当該半制限モードが設定された直後にユーザによる入力に基づいて前記表示部に表示された画面が、所定条件を満たす画面以外の画面に遷移する場合、前記制限モードを設定する設定部とを備える。
【０００６】
本発明の一態様による表示方法は、表示部と、ユーザによる入力を受け付ける受付部とを備える表示装置において、通常モード、少なくとも一部の機能が制限された制限モード、および前記通常モードから前記制限モードに移行する前にとり得る半制限モードを設定可能な表示方法であって、前記受付部によって所定の入力を受け付ける受付ステップと、前記所定の入力を受け付けると前記半制限モードを設定する半制限モード設定ステップと、前記半制限モードが設定された直後にユーザによる入力に基づいて前記表示部にある画面を表示させる表示ステップと、前記ユーザによる入力に基づいて前記表示部に表示された画面が、所定条件を満たす画面以外の画面に遷移する場合に、前記制限モードを設定する制限モード設定ステップとを含む。
【発明の効果】
【０００７】
本発明の一態様による表示装置および表示方法によれば、セキュリティの向上した表示装置および表示方法を実現することができる。
【図面の簡単な説明】
【０００８】
【図１】本発明の第１の実施形態による表示装置の外観を示す正面図である。
【図２】本発明の第１の実施形態による表示装置の外観を示す背面図である。
【図３】本発明の第１の実施形態による表示装置の電気的構成を主として示すブロック図である。
【図４】本発明の第１の実施形態による表示装置のディスプレイにホーム画面が表示された様子を示す図である。
【図５】ホーム画面において、第三者モード設定ボタンをタップする様子を示した図である。
【図６】ホーム画面に配置されたアイコンの１つをタップする様子を示した図である。
【図７】ディスプレイに特定のアプリケーションの画面が表示された様子を示す図である。
【図８】ディスプレイにパスワードの入力を促す認証画面が表示された様子を示す図である。
【図９】本発明の第１の実施形態による表示装置のモード変更処理を説明するためのフローチャートである。
【図１０】本発明の第１の実施形態による表示装置の第三者モード処理を説明するためのフローチャートである。
【図１１】本発明の第１の実施形態による表示装置の第三者モード処理を説明するためのフローチャートである。
【図１２】第三者モードにおける画面遷移の一例を説明するための図である。
【図１３】本発明の第２の実施形態による表示装置の第三者モード処理を説明するためのフローチャートである。
【発明を実施するための形態】
【０００９】
以下、本発明の実施形態について図面を参照しつつ説明する。なお、以下で説明する表示装置は、一例として携帯電話機、より具体的にはスマートフォン（smart phone）であ
るが、本発明は、ＰＤＡ、タブレットＰＣ、デスクトップＰＣなどの各種端末にも適用可能である。
【００１０】
（第１の実施形態）
まず、本発明の第１の実施形態による表示装置である携帯電話機について説明する。
＜携帯電話機の外観＞
図１および図２は、それぞれ、携帯電話機１ａの外観を示す正面図および背面図である。図１および図２に示すように、携帯電話機１ａは、筐体２と、ディスプレイ３と、タッチパネル４と、マイクロフォン５と、通話スピーカ６と、外部スピーカ７と、撮像レンズ８とを備えている。
【００１１】
筐体２は、正面から見て、ほぼ長方形の輪郭を有する。筐体２の正面には、ディスプレイ３が設けられている。ディスプレイ３は、たとえば、液晶ディスプレイである。ディスプレイ３は、液晶ディスプレイ以外のディスプレイ、たとえば、有機ＥＬディスプレイであってもよい。
【００１２】
筐体２の正面には、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００１３】
筐体２の内部には、下端部にマイクロフォン５が配されている。マイクロフォン５は、筐体２の正面に形成されたマイク孔５ａを通過した音声を受け付ける。マイクロフォン５は、入力された音声に応じた電気信号を生成する。また、筐体２の内部には、上端部に通
話スピーカ６が配されている。通話スピーカ６は、音声を出力する。出力された音声は、筐体２の正面に形成された出力孔６ａを通過して筐体２の外に放出される。通話の際には、通信先の電話装置（携帯電話機等）から受信された受話音声が通話スピーカ６から出力され、ユーザが発した発話音声がマイクロフォン５に入力される。なお、音は、音声、報知音等、様々な音を含む。
【００１４】
また、筐体２の内部には、外部スピーカ７が配されている。筐体２の背面には、外部スピーカ７と対向する領域に出力孔７ａが形成されている。外部スピーカ７から出力された音は、出力孔７ａを通過して筐体２の外に放出される。また、筐体２の背面には、後述する撮像部が有する撮像レンズ８が露出している。
【００１５】
＜携帯電話機の電気的構成＞
図３は、携帯電話機１ａの電気的構成の一例を示すブロック図である。図３に示すように、携帯電話機１ａは、制御部１１と、表示部１２と、タッチ検出部１３と、音声入力部１４と、音声出力部１５と、音声処理部１６と、キー入力部１７と、振動発生部１８と、無線通信部１９と、計時部２０と、撮像部２１と、記憶部２２と、電源部２３とを備えている。
【００１６】
制御部１１は、ＣＰＵを含む。制御部１１は、記憶部２２に記憶されたプログラムに従って、携帯電話機１ａを構成する各部（表示部１２、タッチ検出部１３、音声入力部１４、音声出力部１５、音声処理部１６、キー入力部１７、振動発生部１８、無線通信部１９、計時部２０、撮像部２１、記憶部２２等）を制御する。
【００１７】
表示部１２は、図１に示すディスプレイ３を含む。ディスプレイ３には、制御部１１からの制御信号と画像信号に基づき、画像（画面）が表示される。また、表示部１２は、ディスプレイ３が液晶ディスプレイの場合にはバックライト光源を含む。
【００１８】
タッチ検出部１３は、図１に示すタッチパネル４を含む。タッチ検出部１３は、ディスプレイ３へのユーザによるタッチ操作を、タッチパネル４により検出する。すなわち、タッチ検出部１３は、ユーザがタッチパネル４に触れた場合に、ユーザが触れた位置（以下、「タッチ位置」ともいう。）を検出する。タッチ検出部１３は、検出したタッチ位置に基づいて生成された位置信号を制御部１１へ出力する。
【００１９】
ディスプレイ３上にタッチパネル４が設けられるため、ユーザは、ディスプレイ３を視認しながらタッチパネル４を指で触れることにより様々なタッチ操作を行うことができる。タッチ操作は、たとえば、タップ操作、フリック操作、スライド操作、ドラッグ操作等を含む。タップ操作とは、ユーザがタッチパネル４に指を接触させた後、短時間のうちに指をタッチパネル４から離す操作である。フリック操作とは、ユーザがタッチパネル４に指を接触させた後、タッチパネル４を指で任意の方向に弾く操作である。スライド操作とは、ユーザがタッチパネル４に指を接触させたまま、任意の方向へ指を移動させる操作である。ドラッグ操作とは、ユーザがアイコン等の移動対象物に対するスライド操作を行った後、タッチパネル４から指を離す操作である。なお、タッチ操作は、タッチパネル４を直接指で触れて入力を行うことに限らず、例えばタッチパネル４上にガラス等が設けられている場合にガラスを指で触れて、すなわちガラスを介して入力を行うことも含む。
【００２０】
例えば、タッチ検出部１３がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出され
た後、予め定めた第２距離以上タッチ位置が移動すると、制御部１１は、タッチ操作をスライド操作と判定する。
【００２１】
音声入力部１４は、マイクロフォン５を含む。音声入力部１４は、マイクロフォン５からの電気信号を音声処理部１６へ出力する。
【００２２】
音声出力部１５は、通話スピーカ６および外部スピーカ８を含む。音声出力部１５には、音声処理部１６からの電気信号が入力される。音声出力部１５は、通話スピーカ６または外部スピーカ８から音を出力させる。
【００２３】
音声処理部１６は、音声入力部１４からの電気信号にＡ／Ｄ変換等を施し、変換後のデジタルの音声信号を制御部１１へ出力する。音声処理部１６は、制御部１１からのデジタルの音声信号にデコード処理およびＤ／Ａ変換等を施し、変換後の電気信号を音声出力部１５に出力する。
【００２４】
キー入力部１７は、少なくとも１つ以上のハードキー（図示せず）を含む。たとえば、キー入力部１７は、携帯電話機１ａに電源を投入するための電源キーなどを含む。キー入力部１７は、携帯電話機１ａに配された各種ハードキーのうち、少なくとも一つのキーが押下されたときに、押下されたハードキーに対応する信号を制御部１１に出力する。
【００２５】
無線通信部１９は、通話や通信を行うため、信号を変換するための回路、電波を送受信するアンテナ１９ａ等を備える。無線通信部１９は、制御部１１から入力される通話や通信のための信号を無線信号に変換し、変換された無線信号を、アンテナ１９ａを介して基地局や他の通信装置等の通信先へ送信する。さらに、通信部２０は、アンテナ１９ａを介して受信した無線信号を制御部１１が利用できる形式の信号へ変換し、変換された信号を制御部１１へ出力する。
【００２６】
計時部２０は、制御部１１の制御により、時間を計測する。
【００２７】
撮像部２１は、撮像レンズ８及び撮像素子などで構成されており、制御部１１による制御に基づいて、静止画像及び動画像を撮像する。図２に示されるように、撮像レンズ８は、携帯電話機１ａの裏面に設けられていることから、携帯電話機１ａの裏面側に存在する物体を撮像することが可能である。
【００２８】
記憶部２２は、ＲＯＭ、ＲＡＭ、外部メモリを含む。記憶部２２には、各種のプログラムが記憶されている。記憶部２２に記憶されるプログラムは、携帯電話機１ａの各部を制御するための制御プログラムの他、各種アプリケーションプログラム（たとえば、ホーム、通話、電子メール、ウェブブラウザ、地図、ゲーム、スケジュール管理等）を含む。プログラムは、メーカによって携帯電話機１ａの製造時に記憶部１２に記憶される他、ユーザによって通信網やメモリカード、ＣＤ−ＲＯＭ等の記憶媒体を介して記憶部２２に記憶される。
【００２９】
記憶部２２には、プログラムの実行の際、一時的に利用または生成されるデータを記憶するワーキング領域も含まれる。
【００３０】
電源部２３は、バッテリーおよび残量検出部を含む。電源部２３は、バッテリーの電力を制御部１１および制御部１１以外の各部に供給する。また、電源部２３は、外部電源からの電力をバッテリーに供給して、バッテリーを充電する。さらに、電源部２３は、残量検出部により検出されたバッテリーの残量に応じた検出信号を制御部１１に出力する。
【００３１】
＜携帯電話機の機能および動作＞
次に、本実施形態に係る携帯電話機１ａの機能および動作について説明する。本実施形態による携帯電話機１ａは、通常モード、少なくとも一部の機能が制限された制限モード、および通常モードから制限モードに移行する前にとり得る半制限モードを設定可能である。
【００３２】
制限モードとは、例えば、セキュリティロックモードである。セキュリティロックモードでは、ユーザによるパスワード入力等により認証が成功しない限り、携帯電話機１ａの少なくとも一部の機能を使用することができない。セキュリティロックモードでは、例えば、ディスプレイ３にユーザに認証情報の入力を促す認証画面が表示される。この場合、ユーザによるパスワード入力等により認証が成功すると、携帯電話機１ａはセキュリティロックモードから通常モードに移行し、ユーザは、セキュリティロックモードにおいて制限されていた機能を使用することができる。
【００３３】
半制限モードとは、制限モードほど機能の制限はないが、通常モードよりは機能が制限されているモードである。本実施形態による携帯電話機１ａにおいては、半制限モードにおいて、制限モードにおいては制限されている機能の一つである、ディスプレイ３に特定のアプリケーションの画面を表示させることが可能となる。そして、半制限モードにおいて、その特定アプリケーションの画面がホーム画面又は他のアプリケーションの画面に遷移する場合には、携帯電話機１ａが半制限モードから制限モードに移行する。
【００３４】
このように半制限モードを設定しておくと、例えば、携帯電話機１ａの持ち主が第三者に携帯電話機１ａを手渡してその画面に表示されている文書を閲覧させる場合に、第三者は、その文書等を閲覧することは許可されるが、その文書等を閉じて別のアプリケーションを起動し、画面に表示させるといったことができなくなる。これによりセキュリティが確保されるので、携帯電話機１ａの持ち主は、安心して、第三者に携帯電話機１ａを手渡すことができる。ここで、半制限モードは、第三者による利用を可能にする「第三者モード」および第三者による利用のために一時的に機能を制限する「一時利用制限モード」等とも言い換えることができる。以下では、半制限モードを「第三者モード」と言い換えて説明を行う。
【００３５】
なお、特定アプリケーションの画面がホーム画面又は他のアプリケーションの画面に遷移する場合とは、その特定アプリケーションが終了したか否かとは関係なく、単にディスプレイ３に表示される画面が遷移することをいう。よって、特定アプリケーションを実行しつつ、そのアプリケーションの画面を一旦ディスプレイ４から消して、ホーム画面や他のアプリケーションの画面をディスプレイ４に表示させた場合も含む。
【００３６】
また、ウィジェット等のアプリケーションによってホーム画面に情報が表示されていても、このホーム画面は「アプリケーションの画面」に該当しない。ホーム画面に配置されたアイコンをタップ等、ユーザによる入力に基づいてアプリケーションが起動又は呼び出された場合に、ディスプレイ３全体に表示される画面をアプリケーションの画面という。
【００３７】
また、第三者モードにおいて、ユーザによる入力に基づいてディスプレイ３に特定の画面が表示された後、外部からの着信によりディスプレイ３に着信画面が表示される場合に、携帯電話機１ａの動作モードは、制限モードに移行する。
【００３８】
以下に、これらのモード遷移について詳細に説明する。図４は、携帯電話機１ａのディスプレイ３にホーム画面が表示された様子を示している。図４に示すように、ホーム画面には、複数のアイコン１０１および第三者モード設定ボタン１０２が配置されている。
【００３９】
アイコン１０１は、特定のアプリケーションを表現している。アイコン１０１に対応する位置でタップ操作がなされたことが検出されると、制御部１１は当該アイコン１０１に対応したアプリケーションを実行する。
【００４０】
第三者モード設定ボタン１０２は、第三者モードをオン（設定）またはオフ（非設定）するためのボタンである。タッチ検出部１３によって第三者モード設定ボタン１０２の「ＯＮ」の領域がタップされたことが検出されると、制御部１１は、第三者モードを設定し、タッチ検出部１３によって第三者モード設定ボタン１０２の「ＯＦＦ」の領域がタップされたことが検出されると、制御部１１は、第三者モードの設定を解除する。
【００４１】
また、図４に示す画面には、例えば、操作キー群１０３が表示される。操作キー群１０１は、設定キー１０３ａ、ホームキー１０３ｂおよびバックキー１０３ｃから構成されている。設定キー１０３ａは、主に、各種設定を行う設定画面をディスプレイ３に表示させるためのキーである。ホームキー１０３ｂは、主に、ディスプレイ３の表示を他の画面からホーム画面に移行させるためのキーである。バックキー１０３ｃは、主に、実行された処理を１ステップ前の処理に戻すためのキーである。なお、これら操作キー群１０３の表示は、単なる例示であって、いずれかの操作キーが省略されてもよいし、他の操作キーが表示されてもよい。
【００４２】
図５は、ホーム画面において、第三者モード設定ボタン１０２の「ＯＮ」の領域をタップする様子を示した図である。これにより、携帯電話機１ａは、第三者モードに設定される。
【００４３】
第三者モードが設定された後、図６に示すように、ユーザは、ホーム画面に配置されたアイコン１０１の１つをタップすることができる。これにより、タップされたアイコン１０１に対応するアプリケーションが起動する。ここで起動するアプリケーションは、例えば、地図アプリケーションである。この場合、携帯電話機１ａのディスプレイ３には、地図アプリケーションの画面が表示される（図７）。
【００４４】
図７は、第三者モードが設定された状態で、特定のアプリケーションの画面が表示された様子を示している。この画面では、例えば、第三者モードが設定されていることを示すアイコン１０５が表示されてもよい。
【００４５】
ここで、図７に示すように、ユーザがホームキー１０３ｂをタップして、ホーム画面に移行しようとすると、携帯電話機１ａは、第三者モードから制限モードに移行し、ディスプレイ３には、図８に示すように、ユーザにパスワード（パスコード）の入力を促す認証画面が表示される。すなわち、パスワードを入力して認証が成功しなければ、ユーザは、種々のアプリケーションを実行することができず、携帯電話機１ａの少なくとも一部の機能を利用することができない。
【００４６】
ユーザがパスワードの入力をして認証が成功すると、携帯電話機１ａは、制限モードから通常モードに移行し、これまで制限されていた携帯電話機１ａの機能を利用することができる。
【００４７】
図９は、本実施形態による携帯電話機１ａのモード変更処理を説明するためのフローチャートである。なお、図９に示す処理は、携帯電話機１ａの電源をＯＮすると開始し、電源をＯＦＦすると終了する。
【００４８】
携帯電話機１ａの電源がＯＮされると、制御部１１は、携帯電話機１ａの動作モードを制限モードに設定する（Ｓ１）。制限モードにおいて、制御部１１は、表示部１２に、例
えばパスワードの入力を促す認証画面を表示させる。入力されたパスワードと予め決められたパスワードが一致しない等認証が成功しない場合（Ｓ２：ＮＯ）、制御部１１は、ステップ２の処理を繰り返す。認証が成功すると（Ｓ２：ＹＥＳ）、制御部１１は、携帯電話機１ａの動作モードを通常モードに設定する（Ｓ３）。
【００４９】
通常モードでの動作中に、例えば、図４に示した第三者モード設定ボタン１０２がタップされた場合など、タッチ検出部１３による検出結果に基づいて動作モードを第三者モードに設定することが指示されたと判断すると（Ｓ４：ＹＥＳ）、制御部１１は、動作モードを第三者モードに設定し（Ｓ５）、第三者モード処理を実行する（Ｓ７）。なお、第三者モードの設定が指示されない場合（Ｓ４：ＮＯ）、制御部１１は、ユーザによる操作があったか否かを判断する（Ｓ６）。所定期間が経過する前にユーザ操作があった場合（Ｓ６：ＹＥＳ）、制御部１１は、ステップ４に戻って処理を繰り返す。一方、所定時間が経過する前にユーザ操作がなかったと判断すると（Ｓ６：ＮＯ）、制御部１１は、動作モードを制限モードに設定し（Ｓ１）、ステップ１以降の処理を繰り返す。
【００５０】
なお、ステップＳ６以降の処理は、ユーザによる操作がないまま所定時間が経過すると、携帯電話機１ａがロックされるとともに、ディスプレイ３にロック画面が表示されることを意味している。これは、制限モードがセキュリティロックモードである場合に有効である。しかし、制限モードがセキュリティロックモードでない場合に、制御部１１が、所定時間が経過する前にユーザ操作がなかったと判断すると（Ｓ６：ＮＯ）、制御部１１は、動作モードをセキュリティロックモードに設定してもよい。その場合、パスワード入力等により認証が成功すれば、制御部１１は、動作モードを通常モードに切り替え、それ以降は、Ｓ４以降の処理を繰り返してもよい。
【００５１】
以下に、図１０および図１１を用いて、第三者モード処理について説明する。図１０に示すように、第三者モードにおいて、制御部１１は、タッチ検出部１３およびキー入力部１７からの出力信号に基づいて、ユーザによる入力があったか否かを判断する（Ｓ８）。ユーザによる入力がなかったと判断すると（Ｓ８：ＮＯ）、制御部１１は、ステップ８に戻って処理を繰り返す。
【００５２】
一方、ユーザによる入力があったと判断すると（Ｓ８：ＹＥＳ）、制御部１１は、それがディスプレイ３のアプリケーションの画面を表示させる指示であったか否かを判断する（Ｓ９）。ユーザによる入力がディスプレイ３にアプリケーションの画面を表示させる指示でなかった、すなわちディスプレイ３にアプリケーションの画面を表示させなかった場合（Ｓ９：ＮＯ）、制御部１１は、タッチ検出部１３による検出結果に基づいて第三者モードを解除する操作が行われたか否か判断する（Ｓ１０）。ここで、第三者モードを解除する操作とは、例えば、図４に示した第三者モード設定ボタン１０２の「ＯＦＦ」領域をタップする操作である。
【００５３】
第三者モードを解除する操作が行われていないと判断すると（Ｓ１０：ＮＯ）、制御部１１は、ステップ８におけるユーザ入力に応じた処理を行う。これは、例えば、ホーム画面の遷移等が考えられる。一方、第三者モードを解除する操作が行われたと判断すると（Ｓ１０：ＹＥＳ）、制御部１１は、通常モードを設定し（Ｓ１５）、ステップ４に戻って処理を繰り返す（図９）。
【００５４】
ステップ９において、ユーザによる入力がディスプレイ３にアプリケーションの画面を表示させる指示であった、すなわちディスプレイ３にアプリケーションの画面を表示させたと判断すると（Ｓ９：ＹＥＳ）、制御部１１は、その表示された画面から他の画面に画面遷移が行われたか否か判断する（Ｓ１２）。ここで、制御部１１は、画面遷移が行われたか否かを、ユーザによって画面遷移のための操作（例えば、ホームボタン１０１ｂのタ
ップ）が行われたか否かによって判断してもよい。すなわち、画面遷移が行われたときでなく、ユーザが画面遷移のための操作をして画面遷移しようとしたときに、制御部１１は、画面遷移が行われたと判断してよい。
【００５５】
画面遷移が行なわれていないと判断すると（Ｓ１２：ＮＯ）、制御部１１は、タッチ検出部１３による検出結果に基づいて第三者モードを解除する操作が行われたか否か判断する（Ｓ１４）。
【００５６】
第三者モードを解除する操作が行われていないと判断すると（Ｓ１４：ＮＯ）、制御部１１は、ステップ１２に戻って処理を繰り返す。一方、第三者モードを解除する操作が行われたと判断すると（Ｓ１４：ＹＥＳ）、制御部１１は、通常モードを設定し（Ｓ１５）、ステップ４に戻って処理を繰り返す（図９）。
【００５７】
画面遷移が行われたと判断すると（Ｓ１２：ＹＥＳ）、制御部１１は、遷移先の画面が、ステップ９においてディスプレイ３に表示されたアプリケーションの画面と同じアプリケーションに関連する画面か否か判断する（Ｓ１３）。例えば、ステップ９においてディスプレイ３に表示された画面が受信メールリストの画面であり、遷移先の画面が新規メール作成画面である場合は、同じ電子メールアプリケーションの画面であるので、制御部１１は、同じアプリケーションの画面であると判断する。同じアプリケーションの画面であると判断すると（Ｓ１３：ＹＥＳ）、制御部１１は、ステップ１４以降の処理を繰り返す。
【００５８】
一方、同じアプリケーションの画面でないと判断すると（Ｓ１３：ＮＯ）、制御部１１は、図１１に示すように、携帯電話機１ａの動作モードを制限モードに設定する（Ｓ１６）。例えば、ステップ９においてディスプレイ３に表示された画面が、電子メールアプリケーションの受信メールリストの画面であり、遷移先の画面が地図アプリケーションの画面である場合は、制御部１１は、同じアプリケーションの画面ではないと判断する。動作モードが制限モードに設定されると、制御部１１は、表示部１２に、例えばユーザによるパスワードの入力を促す認証画面を表示させ、認証が成功したか否かを判断する（Ｓ１７）。
【００５９】
認証が成功しない場合（Ｓ１７：ＮＯ）、制御部１１は、ステップ１７の処理を繰り返す。一方、認証が成功したと判断すると（Ｓ１７：ＹＥＳ）、制御部１１は、携帯電話機１ａの動作モードを通常モードに設定し（Ｓ１８）、表示部１２に、ステップ１２において遷移した又は遷移しようとした遷移先の画面を表示させる（Ｓ１９）。そして、ステップ４に戻って処理を繰り返す（図９）。なお、ステップ１９において、遷移先の画面をディスプレイ３に表示させるために、制御部１１は、第三者モードから制限モードに移行する際に、遷移した又は遷移しようとした遷移先の画面を記憶部２２に記憶させることができる。
【００６０】
携帯電話機１ａでは、第三者モードが設定された直後にユーザによる入力に基づいてディスプレイ３に表示されたアプリケーションの画面が、当該表示された画面を含むそのアプリケーションの１以上の画面以外の画面に遷移する場合、制限モードが設定される。例えば、地図アプリケーションの画面が表示され、その後、その画面がホーム画面や地図アプリケーション以外の他のアプリケーションの画面に遷移する場合、制限モードが設定される。すなわち、第三者モードでは、地図アプリケーション以外の他のアプリケーションの画面をディスプレイ３に表示させようとすると制限モードに移行するため、ユーザは、実質的に、他のアプリケーションを起動して操作することができない。
【００６１】
このような携帯電話機１ａによれば、第三者モードが設定されると、パスワード等を知
らない第三者が、ユーザが指定した特定のアプリケーション以外の他のアプリケーションの画面を表示させてこのアプリケーションに関する操作を行うことはできなくなる。これにより、携帯電話機１ａの持ち主は、安心して、第三者にスマートフォンを手渡して、その画面に表示されている情報をその他人に閲覧させることができる。
【００６２】
なお、本実施形態においては、第三者モードが設定された直後にディスプレイ３に表示されたアプリケーションの画面が、同じアプリケーションの他の画面に遷移する場合には、制限モードが設定されない。例えば、図１２に示すように第三者モードが設定された直後に、ユーザ入力に基づいてディスプレイ３にＡ地点を中心とした地図が表示され（図１２（ａ））、その後、スライド操作によって画面を遷移してＢ地点を中心とした地図が表示された場合（図１２（ｂ））には、遷移前後の画面が同じ地図アプリケーションの画面であるため、第三者モードから制限モードに移行しない。これは、例えば、メールアプリケーションにおける受信メールリストの画面と新規メール作成画面、ゲームアプリケーションにおける異なるプレイ画面同士などについても適用可能である。
【００６３】
また、携帯電話機１ａによれば、第三者モードを設定直後にユーザ入力に基づいてディスプレイ３に表示されたアプリケーションが、操作が許可されるアプリケーション（以下、「操作許可アプリケーション」ともいう。）に設定される。これにより、ユーザは、ホーム画面に一旦戻って半制限ボタンをタッチし、その後、特定のアプリケーションの画面をディスプレイ３に表示させるといった自然に行う簡単な操作により、操作許可アプリケーション（結果として、操作を許可しないアプリケーション）を選択することができる。よって、予めメニュー画面から「第三者モード」の項目を選択し、さらに制限する機能を逐一選択するといった、煩雑な操作を要することなく、より簡単に第三者モードの設定および制限する機能の選択を行うことができる。
【００６４】
これにより、例えば、急いで目的地に向かっている状態で他人に地図アプリケーションを見せたいといった場合にも、ユーザは、ホーム画面に一旦戻って半制限ボタンをタッチし、その後、地図アプリケーションの画面をディスプレイ３に表示させるといった簡単な操作を行うだけで、その他人に、セキュリティの問題を気にすることなく携帯電話機１ａを手渡すことができる。
【００６５】
また、携帯電話機１ａによれば、第三者モードから制限モードに移行した場合に、ユーザが認証情報を入力することにより認証が成功すると、制限モードから通常モードに移行する。すなわち、認証情報を入力するという自然に行う簡単な操作によって、第三者モードが解除される。よって、第三者モードを解除するために、わざわざメニュー画面において第三者モードを解除するという操作を必要としない。よって、より簡単に第三者モードの解除を行うことができる。このような携帯電話機１ａは、特に、突発的で一時的に機能制限を利用したいシーンにおいて非常に有効である。
【００６６】
以上により、携帯電話機１ａによれば、セキュリティを確保しつつ、ユーザにとって利便性が向上した表示装置を実現することができる。
【００６７】
なお、本実施形態においては、制限モードが設定されるタイミングを、ユーザが画面遷移のための操作（例えば、ホームボタン１０１ｂのタップ）をしたときとしたが、これに限らず、実際にディスプレイ３上で画面が遷移された直後であってもよい。画面が遷移しても、遷移した直後に制限モードが設定され、認証画面が表示されれば、第三者に遷移後の画面を知られる危険性を抑制できる。このような場合も、上述した「ディスプレイ３に表示されたアプリケーションの画面が当該表示された画面を含むそのアプリケーションの画面以外の画面に遷移する場合」に含まれる。
【００６８】
（第２の実施形態）
次に、本発明の第２の実施形態による携帯電話機１ｂについて説明する。本実施形態による携帯電話機１ｂが、第１の実施形態による携帯電話機１ａと異なる点は、第三者モードが設定された直後にユーザによる入力に基づいてディスプレイ３に表示されたアプリケーションの画面が、同じアプリケーションの別の画面に遷移する場合も、制限モードが設定される点である。なお、携帯電話機１ｂの外観および電気的構成は、図１乃至図３に示した構成と同様であるため、説明を省略する。
【００６９】
図１３は、本実施形態による携帯電話機１ｂにおける第三者モード処理を説明するためのフローチャートである。図１３のフローチャートにおいて、図１０に示すフローチャートに示した処理と同一の処理には、同一の符号を付し、説明を省略する。図１３に示すように、本実施形態による携帯電話機１ｂの制御部１１は、ステップ１１において、画面遷移が行われたか否か判断し、画面遷移が行われたと判断すると（Ｓ１２：ＹＥＳ）、携帯電話機１ｂの動作モードを制限モードに設定する（図１１：Ｓ１６）。
【００７０】
本実施形態による携帯電話機１ｂによれば、第三者モードが設定された直後にユーザによる入力に基づいてディスプレイ３に表示されたアプリケーションの画面が同じアプリケーションの別の画面に遷移する場合も、制限モードが設定されることから、携帯電話機１ｂの持ち主は、第三者が意図的に又は意図せず画面を遷移することにより、その第三者に知られたくない情報を知られてしまうといったことを抑制することができる。例えば、持ち主は、特定の受信メールを第三者に閲覧してもらいたい場合に、その第三者によって他の受信メールを見られてしまう、といったいことを防ぐことができる。
【００７１】
これを実現するために、携帯電話機１ｂの持ち主は、例えば、第三者に閲覧を許可する画面（以下、「閲覧許可画面」ともいう。）をディスプレイ３に表示させた後、第三者モードを設定し、その後、当該閲覧許可画面を再度表示させればよい。例えば、携帯電話機１ｂの持ち主は、閲覧許可画面をディスプレイ３に表示させ、ホームキー１０３ｂをタップしてホーム画面に移行した後、そのホーム画面において第三者モード設定ボタン１０２の「ＯＮ」領域をタップすることにより、第三者モードを設定する。そして、第三者モードを設定した後、当該ホーム画面に配置された、上記閲覧許可画面を表示可能なアプリケーションに対応するアイコン１０１をタップすると、当該持ち主は、再度その閲覧許可画面をディスプレイ３に表示させることができる。この状態で、第三者に手渡せば、第三者は、表示されている画面の閲覧のみが許可されるため、持ち主は安心して、第三者に携帯電話機１ｂを手渡すことができる。
【００７２】
本実施形態による携帯電話機１ｂでは、上述したような、第三者に特定の受信メールの閲覧を許可すること以外にも、例えば、アルバムアプリケーションにおいて、特定の写真をディスプレイ３に表示させた後、第三者モードを設定し、その後、当該写真を再度表示させれば、第三者に特定の写真のみの閲覧を許可することができる。
【００７３】
＜変形例１＞
第２の実施形態による携帯電話機１ｂによれば、第三者モードが設定された直後にユーザによる入力に基づいてディスプレイ３に表示されたアプリケーションの画面が同じアプリケーションの別の画面に遷移する場合も、制限モードが設定されるので、セキュリティは向上する一方、不都合が生じる場合もある。例えば、第三者モードが設定された直後にディスプレイ３に特定の受信メールを表示させた場合、そのメールが長文であれば、表示させた画面だけでは文章をすべて読むことができないこともある。よって、スクロール操作による画面遷移のみ許可する、すなわちスクロール操作によって画面が遷移された場合には、制限モードに移行しないようにしてもよい。
【００７４】
また、第三者モードが設定された直後にディスプレイ３にブラウザを表示させた場合、その表示された画面において操作を行い、同一ＵＲＬ以外のＵＲＬを有する画面を表示させる場合に、制限モードが設定されてもよい。
【００７５】
＜変形例２＞
上述の携帯電話機１ａ，１ｂにおいては、第三者モードから制限モードに移行する際に、第三者モードにおいてユーザがディスプレイ３に表示させようとした画面（遷移画面）を保存し、制限モードにおけるセキュリティロックを解除して通常モードに移行した場合に、その表示させようとした画面を表示させた。
【００７６】
しかし、通常モードに移行した場合に、遷移画面を表示させるのではなく、通常モードに移行した後、再びそのアプリケーションを実行した場合に遷移画面を表示させてもよい。また、第三者モードから制限モードに移行した場合のユーザの操作および遷移先の画面の少なくとも一方の履歴を保存して、どのような操作が行われたか又はどのような画面に遷移しようとしたかを後で確認できるようにしてもよい。
【００７７】
＜変形例３＞
また、第三者モードにおいて制限モードに移行する条件をユーザが設定することができてもよい。例えば、ホーム画面において、第三者モード設定をオンまたはオフするボタン以外に、条件を設定するメニューボタンが表示されてもよい。ユーザは、このメニューボタンを利用することにより、第三者モードから制限モードに移行する条件を、（１）ディスプレイ３に表示された画面がホーム画面又は他のアプリケーションの画面に遷移する場合、（２）遷移先の画面が同じアプリケーションの画面か否かにかかわらず、ディスプレイ３に表示されている画面が別の画面に遷移する場合、（３）（２）のうちスクロール操作による画面遷移は含まれない、といった条件の中から選択することができてもよい。
【００７８】
この発明が詳細に説明され図示されたが、それは単なる図解および一例として用いたものであり、限定であると解されるべきではないことは明らかであり、この発明の精神および範囲は添付されたクレームの文言によってのみ限定される。
【符号の説明】
【００７９】
１：携帯電話機
２：筐体
３：ディスプレイ
４：タッチパネル
５：マイクロフォン
６：通話スピーカ
７：外部スピーカ
８：撮像レンズ
【図１】
2015088837.tif 000003
【図２】
2015088837.tif 000004
【図３】
2015088837.tif 000005
【図４】
2015088837.tif 000006
【図５】
2015088837.tif 000007
【図６】
2015088837.tif 000008
【図７】
2015088837.tif 000009
【図８】
2015088837.tif 000010
【図９】
2015088837.tif 000011
【図１０】
2015088837.tif 000012
【図１１】
2015088837.tif 000013
【図１２】
2015088837.tif 000014
【図１３】
2015088837.tif 000015